(57)【要約】【課題】  光学レンズに発生する結露を抑制させる制御を高精度に行うために、光学レンズの結露抑制に関する温度データの取得を、光学レンズの近傍で、従来よりも精度良く行って結露を抑制する画像読取装置。【解決手段】  第一画像読取ボックス５０内の温度及び湿度を判定する温度センサＤ１１及び湿度センサＨ１１を、第一画像読取ボックス５０内に設置する。光学レンズ近傍の温度を判定するために、光学レンズ１２近傍に、光学レンズ１２近傍の温度を判定する温度センサＤ１２を設置する。第一画像読取ボックス５０内に設置した温度センサＤ１１及び湿度センサＨ１１と、光学レンズ１２近傍に設置した温度センサＤ１２によって、第一画像読取ボックス５０内の温湿度データと光学レンズ１２近傍の温度データを取得して結露可能性を判断し、ロスの少ない最適な結露抑制制御を行う。【選択図】  図５
2016127551.tif 000002
【特許請求の範囲】
【請求項１】
記録媒体に記録された画像を読み取る画像読取部と、前記画像読取部を収納する収納部と、前記収納部内の温度を判定するための第一温度判定部と、前記第一温度判定部が温度を判定する温度判定位置より前記画像読取部に近い位置で前記画像読取部の温度を判定するための第二温度判定部と、前記収納部内の湿度を判定するための湿度判定部と、前記画像読取部の温度を調整するための温度調整部と、前記第一温度判定部、前記第二温度判定部及び前湿度判定部の判定結果に基づいて、前記画像読取部の結露を抑制するように前記温度調整部を制御する制御部と、を有することを特徴とする画像読取装置。
【請求項２】
記録媒体に記録された画像を読み取る画像読取部と、前記画像読取部と一体的に移動して前記画像読取部の温度を判定するための温度判定部と、前記画像読取部の湿度を判定するための湿度判定部と、前記画像読取部の温度を調整するための温度調整部と、前記温度判定部及び前記湿度判定部の判定結果に基づいて、前記画像読取部の結露を抑制するように前記温度調整部を制御する制御部と、を有することを特徴とする画像読取装置。
【請求項３】
前記制御部は、前記第二温度判定部が判定する温度が、前記第一温度判定部が判定する温度及び前記湿度判定部が判定する湿度に基づき設定される第一の温度以下である場合、前記温度調整部により前記画像読取部の温度を上昇させること
を特徴とする請求項１に記載の画像読取装置。
【請求項４】
前記制御部は、第一の間隔で、前記第二温度判定部が判定する温度が前記第一の温度以下であるかどうかを判定することを特徴とする請求項３に記載の画像読取装置。
【請求項５】
前記制御部は、前記第二温度判定部が判定する温度が、前記第一の温度より高い温度であって、前記第一の温度よりも高く、前記第一温度判定部が判定する温度及び前記湿度判定部が判定する湿度に基づき設定される第二の温度未満である場合は、前記第一の間隔よりも短い第二の間隔で、前記第二温度判定部が判定する温度が前記第一の温度以下であるかどうかを判断することを特徴とする請求項４に記載の画像読取装置。
【請求項６】
前記制御部は、前記温度判定部が判定する温度が、前記湿度判定部が判定する湿度に基づき設定される第一の温度以下である場合、前記温度調整部により前記画像読取部の温度を上昇させることを特徴とする請求項２に記載の画像読取装置。
【請求項７】
前記制御部は、第一の間隔で、前記温度判定部が判定する温度が前記第一の温度以下であるかどうかを判定することを特徴とする請求項６に記載の画像読取装置。
【請求項８】
前記制御部は、前記第一の温度より高い温度であって、前記第一の温度よりも高く、前記湿度判定部が判定する湿度に基づき設定される第二の温度未満である場合は、前記第一の間隔よりも短い第二の間隔で、前記第二温度判定部が判定する温度が前記第一の温度以下であるかどうかを判断することを特徴とする請求項７に記載の画像読取装置。
【請求項９】
記録媒体に記録された画像を読み取る第一画像読取部と、記録媒体の、前記第一画像読取部で読み取る面とは異なる第二の面に記録された画像を読み取る第二画像読取部と、前記第一画像読取部の温度を判定するための光学的に読み取り可能な温度判定部と、前記第一画像読取部の湿度を判定するための湿度判定部と、前記第一画像読取部の温度を調整するための温度調整部と、前記第二画像読取部により前記温度判定部を読取った結果及び前記湿度判定部の判定結果に基づいて、前記第一画像読取部の結露を抑制するように前記温度調整部を制御する制御部とを有することを特徴とする画像読取装置。
【請求項１０】
記録媒体に記録された画像を読み取る第一画像読取部と、記録媒体の、前記第一画像読取部で読み取る面とは異なる第二の面に記録された画像を読み取る第二画像読取部と、前記第一画像読取部の温度を判定するための温度判定部と、前記第一画像読取部の湿度を判定するための光学的に読取可能な湿度判定部と、前記第一画像読取部の温度を調整するための温度調整部と、前記第二画像読取部により前記湿度判定部を読取った結果及び前記温度判定部の判定結果に基づいて、前記第一画像読取部の結露を抑制するように前記温度調整部を制御する制御部とを有することを特徴とする画像読取装置。
【請求項１１】
前記制御部は、前記温度判定部が判定する温度が、前記湿度判定部が判定する湿度に基づき設定される第一の温度以下である場合、前記温度調整部により前記画像読取部の温度を上昇させることを特徴とする請求項９又は請求項１０のいずれか１項に記載の画像読取装置。
【請求項１２】
前記制御部は、第一の間隔で、前記温度判定部が判定する温度が前記第一の温度以下であるかどうかを判定することを特徴とする請求項１１に記載の画像読取装置。
【請求項１３】
前記制御部は、前記温度判定部が判定する温度が、前記第一の温度より高い温度であって、前記第一の温度よりも高く、前記湿度判定部が判定する湿度に基づき設定される第二の温度未満である場合は、前記第一の間隔よりも短い第二の間隔で、前記温度判定部が判定する温度が前記第一の温度以下であるかどうかを判断することを特徴とする請求項１２に記載の画像読取装置。
【発明の詳細な説明】
【技術分野】
【０００１】
本発明は、画像が形成された原稿を読み取る画像読取装置に関する。
【背景技術】
【０００２】
従来画像形成装置では、画像読取装置や画像形成装置の主電源をＯＦＦにした場合や省電力モード時に、画像読取部が有する光学レンズや、原稿を載置する原稿台ガラスに発生する結露を低減するために画像読取装置内の、画像読取部のホームポジション近傍や光学レンズの近傍に設けられたヒータを常時ＯＮしている。
【０００３】
しかし、近年、消費電力の低減を更に図るために、画像読取装置内部に温湿度を測定するためのセンサを配置し、これらの測定値から画像読取装置内に結露が発生する露点温度を算出して、レンズやミラーといった光学経路に結露が発生しやすい環境となった場合にのみ、光学経路から優先して画像読取装置内部をヒータで暖めることのできる画像読取装置が提案されている（特許文献１参照）。
【先行技術文献】
【特許文献】
【０００４】
【特許文献１】特開２００３−１８３４０
【発明の概要】
【発明が解決しようとする課題】
【０００５】
上述したように、特許文献１の提案によると、画像読取装置内部に温湿度を測定するためのセンサを配置して画像読取装置内の温湿度を測定し、画像読取装置内のレンズやミラーに結露が発生しやすい環境になった場合にのみ画像読取装置内部をヒータで暖めることができる。また、ヒータを光学経路の近傍に配置し、光学経路から優先的に暖めることで、光学経路に発生する結露を効果的に防止する事ができる。
【０００６】
しかし、特許文献１の提案では、温度を測定するセンサがレンズなどの光学経路近傍に配置されておらず、レンズなどの光学経路を優先的に暖めるので、装置内に配置されたセンサが検出する装置内の温度よりも早く上昇する光学経路の温度を正確にモニターできない。このことから、光学経路を必要以上に暖めることになり、ヒータの動作時間も必要以上に長くなるので、その動作時間分の消費電力のロスが発生してしまう懸念がある。
【０００７】
また、センサが検出した装置内の温度は下がらずに、光学経路近傍の温度のみが低くなってしまうと、センサは結露が発生する可能性が無いと判断するにも関わらず、光学経路には結露が発生してしまうという懸念がある。
【０００８】
本発明は、このような従来の技術に存在する課題を鑑みてなされたものであり、画、最適な方法で結露を抑制する画像読取装置を提供することを目的とする。
【課題を解決するための手段】
【０００９】
そのために本発明に係る画像読取装置は、記録媒体に記録された画像を読み取る画像読取部と、前記画像読取部を収納する収納部と、前記収納部内の温度を判定するための第一温度判定部と、前記第一温度判定部が温度を判定する温度判定位置より前記画像読取部に近い位置で前記画像読取部の温度を判定するための第二温度判定部と、前記収納部内の湿度を判定するための湿度判定部と、前記画像読取部の温度を調整するための温度調整部と、前記第一温度判定部、前記第二温度判定部及び前湿度判定部の判定結果に基づいて、前記画像読取部の結露を抑制するように前記温度調整部を制御する制御部と、を有するものである。
【００１０】
さらに、本発明にかかる他の画像読取装置は、記録媒体に記録された画像を読み取る画像読取部と、前記画像読取部と一体的に移動して前記画像読取部の温度を判定するための温度判定部と、前記画像読取部の湿度を判定するための湿度判定部と、前記画像読取部の温度を調整するための温度調整部と、前記温度判定部及び前記湿度判定部の判定結果に基づいて、前記画像読取部の結露を抑制するように前記温度調整部を制御する制御部と、を有するものである。
【００１１】
さらに、本発明に係る他の画像読取装置は、記録媒体に記録された画像を読み取る第一画像読取部と、記録媒体の、前記第一画像読取部で読み取る面とは異なる第二の面に記録された画像を読み取る第二画像読取部と、前記第一画像読取部の温度を判定するための光学的に読み取り可能な温度判定部と、前記第一画像読取部の湿度を判定するための湿度判定部と、前記第一画像読取部の温度を調整するための温度調整部と、前記第二画像読取部により前記温度判定部を読取った結果及び前記湿度判定部の判定結果に基づいて、前記第一画像読取部の結露を抑制するように前記温度調整部を制御する制御部と、を有するものである。
【００１２】
さらに、本発明に係るほかの画像読取装置は、記録媒体に記録された画像を読み取る第一画像読取部と、記録媒体の、前記第一画像読取部で読み取る面とは異なる第二の面に記録された画像を読み取る第二画像読取部と、前記第一画像読取部の温度を判定するための温度判定部と、前記第一画像読取部の湿度を判定するための光学的に読取可能な湿度判定部と、前記第一画像読取部の温度を調整するための温度調整部と、前記第二画像読取部により前記温度判定部を読取った結果及び前記湿度判定部の判定結果に基づいて、前記第一画像読取部の結露を抑制するように前記温度調整部を制御する制御部と、を有するものである。
【発明の効果】
【００１３】
本発明によれば、光学レンズに発生する結露を最適に抑制する画像読取装置を提供できる。
【図面の簡単な説明】
【００１４】
【図１】片面画像読取装置の全体構成図
【図２】図１のＡ−Ａ’断面図
【図３】画像読取部の構成図
【図４】図１の装置の制御構成を示すブロック図
【図５】図１の装置の画像読取部周辺の拡大構成図
【図６】図１の装置のスリープ移行時の結露抑制制御を示すフローチャート
【図７】図１の装置のスリープ中とスリープ復帰時の結露抑制制御を示すフローチャート
【図８】露点温度テーブル
【図９】両面画像読取装置の全体構成図
【図１０】図９のＡ−Ａ’断面図
【図１１】図９の装置の制御構成を示すブロック図
【図１２】図９の装置の画像読取部周辺の拡大構成図
【図１３】図９の装置のスリープ移行時の結露抑制制御を示すフローチャート
【図１４】図９の装置のスリープ中とスリープ復帰時の結露抑制制御を示すフローチャート
【発明を実施するための形態】
【００１５】
以下、図面を参照して本発明の好適な実施形態を詳しく説明する。なお、以下の実施形態は特許請求の範囲に係る本発明を限定するものでなく、また本実施形態で説明されている特徴の組み合わせの全てが本発明の解決手段に必須のものとは限らない。  
（第一実施形態）
図１は本実施形態における片面画像読取装置の全体構成図である。図１において、画像読取装置３０は、セットされた原稿を搬送するための原稿搬送装置３１と、搬送された原稿を読み取るための画像読取部９０を備えた第一画像読取ボックス５０から構成されている。
【００１６】
原稿搬送装置３１は、原稿を積載するための原稿積載トレイ１、原稿の側部を規制する幅規制板２、原稿を給送するために原稿上面の位置まで下降し原稿のピックアップを行う給紙ローラ３、対向する分離パッド５と常に接触して摩擦分離を行うことで原稿を一枚ずつ搬送する分離ローラ４、原稿の搬送を行う第一搬送ローラ対６及び６ａと第二搬送ローラ対７及び７a、原稿を搬送するための搬送路である搬送路ＰＳ１を備えている。
【００１７】
ユーザによって図１に示す原稿台ガラス５１に原稿がセットされた場合は、原稿搬送装置３１の下部に配置される原稿圧板（不図示）により原稿台ガラス５１に押し付けて固定される。
【００１８】
図２は本実施形態における図１に示す片面画像読取装置の第一画像読取ボックスのＡ−Ａ’断面図であって、図２において、画像読取部９０は支持部材（不図示）によってレール６１に支持されており、原稿台ガラス５１の下方をレール６１に沿って矢印の方向に移動しながら原稿を読み取る。ここでいう原稿とは、記録媒体の表面のみ、裏面のみ又は表面と裏面の両方に画像が形成されたものであって、記録媒体の種類としては例えば、紙、シート、ＯＨＰ（Ｏｖｅｒ  Ｈｅａｄ  Ｐｒｏｊｅｃｔｏｒ）シート、布等が含まれる。
【００１９】
また、本実施形態における画像読取装置が有する画像読取部９０は、ＣＩＳ（Ｃｏｎｔａｃｔ  Ｉｍａｇｅ  Ｓｅｎｓｏｒ）方式を適用している。図３は図２の画像読取装置を正面方向から見た画像読取部９０の構成図である。図３に示すように、画像読取部９０は、読み取る対象物に光を照射するための照明部材１１ａ及び１１ｂと、光学レンズ１２と、撮像部１３とによって構成されている。照明部材１１ａ及び１１ｂはそれぞれ、光源としての赤色ＬＥＤ、青色ＬＥＤ、緑色ＬＥＤの３つを備えた白色タイプの導光管を含み、原稿台ガラス５１に対して所定角度だけ傾斜する方向から原稿に光を照射する。
【００２０】
照明部材１１ａ及び１１ｂから照射されて、原稿の読取面によって反射された反射光は、光学レンズ１２によって複数の光電素子から構成される撮像部１３の所定の撮像位置へと導かれる。そして、読取面からの反射光が撮像部１３によって撮像されることで、読み取る対象物の読取面に記録された画像を読み取ることができる。
【００２１】
本実施形態では、搬送された原稿の表面を読み取った後に、原稿の裏面を読み取る場合において、原稿の表裏を反転させて再度搬送し、原稿の裏面を読み取る構成となっており、その点について説明する。
【００２２】
図１において、原稿の片面を読み取る場合は、原稿が搬送路ＰＳ１を搬送されて原稿台ガラス５１とプラテンローラ２１の間を通過する際に、原稿の表面に形成された画像を第一画像読取ボックス５０に備えられた画像読取部９０によって読み取る。さらに搬送された原稿は搬送ローラ８及び排紙加圧コロ９により排紙台１０に排紙される。
【００２３】
原稿の両面を読み取る場合は、表面を読み取った後、排紙中の搬送ローラ８を停止し、その後逆回転させて原稿を原稿搬送装置３１内へ引き戻し、フラッパ２０によって搬送路を反転搬送路ＰＳ２に切り替えることで原稿を再度搬送路ＰＳ１に送り込み、画像読取部９０によって裏面を読み取り、搬送ローラ８及び排紙加圧コロ９により排紙台１０に排紙される。
【００２４】
図４は本実施形態における片面画像読取装置の制御構成を示す回路ブロック図である。図４において、画像読取部９０はモータ８０の駆動により、図２に示すレール６１に沿って、矢印方向に摺動可能に構成されている。
【００２５】
図１の第一画像読取ボックス５０内において、画像読取部９０のホームポジション近傍にはヒータ７０が設置されており、制御部１１０によって制御可能になっている。また、図８は結露の発生可能性を判断するために使用する露点温度テーブルであって、この露点温度テーブルがメモリ１０１に記憶されている。ここで、制御部１１０は、例えばＣＰＵ（Ｃｅｎｔｒａｌ  Ｐｒｏｃｅｓｓｉｎｇ  Ｕｎｉｔ）、マルチコアＣＰＵ、プログラマブルなデバイス（ＦＰＧＡ（Ｆｉｅｌｄ  Ｐｒｏｇｒａｍｍａｂｌｅ  Ｇａｔｅ Ａｒｒａｙ）、ＰＬＤ（Ｐｒｏｇｒａｍｍａｂｌｅ  Ｌｏｇｉｃ  Ｄｅｖｉｃｅ）など）などを用いる事が考えられる。
【００２６】
図５は図１の画像読取部９０の周辺（点線部）を拡大した断面図である。図５において、原稿台ガラス５１の下部であって、原稿の読み取りを妨げない位置に、第一画像読取ボックス５０内の温度を検知する温度センサＤ１１と、第一画像読取ボックス５０内の湿度を検知する湿度センサＨ１１を配置する。温度センサＤ１１と湿度センサＨ１１によって第一画像読取ボックス５０内の温度データ及び湿度データを取得する。
【００２７】
図２において、画像読取部９０の温度を検知する温度センサＤ１２を、画像読取部９０の主走査方向に沿って一体的に配置する。これにより、画像読取部９０近傍すなわち光学レンズ１２近傍の温度データを取得する事ができる。また、温度センサＤ１２は、図３に示されるように、光学レンズ１２の近傍に配置される照明部材１１ａ及び１１ｂの発熱による影響を受ける可能性があるので、温度のばらつきを抑制するために図５の画像読取部９０の外枠の外側に配置することとする。
【００２８】
図４において、制御部１１０は、タイマ１０２によって一定間隔毎に温度センサＤ１１と湿度センサＨ１１から得られた第一ボックス温度及び第一ボックス湿度と、温度センサＤ１２が示す光学レンズ１２近傍の温度を基にして露点温度テーブルを参照し、光学レンズ１２における結露可能性を判断する。
【００２９】
次に、スリープ時の画像読取部９０の結露抑制制御について、本実施形態の制御部１１０の動作を示す図６と図７のフローチャートに従って説明する。
【００３０】
図６は本実施形態におけるスリープ移行時の結露抑制制御を示している。図６において、画像読取装置がスリープ状態に入ると、Ｓ１０１で結露抑制制御の動作間隔時間Ｔを所定時間Ｔ１にセットし、タイマ１０２をスタートさせる。Ｔ１は周囲の気温や湿度の環境などからあらかじめ設定される時間であって、例えば３０分とする。
【００３１】
次にＳ１０２において、ユーザ操作などで発行されるスリープ復帰信号を受信したかどうかを判断する。スリープ復帰信号を受信した場合は、Ｓ１０３に進み、後述するスリープ復帰時の結露抑制制御を行う。Ｓ１０２でスリープ復帰信号を受信していない場合は、Ｓ１０４で時間Ｔが経過したかどうかを判断し、経過していない場合は、Ｓ１０２でスリープ復帰信号を受信したかどうかの判断に戻る。スリープ復帰信号を受信せずに時間Ｔが経過した場合は、Ｓ１０５に進み、後述するスリープ中の結露抑制制御を行う。Ｓ１０２でスリープ復帰信号を受信するまでＳ１０２からＳ１０５までのステップを繰り返し行う。
【００３２】
次に、図６のＳ１０５に示すスリープ中の結露抑制制御について、本実施形態の制御部１１０のスリープ中の結露抑制制御を示す図７（ａ）のフローチャートを用いて説明する。
【００３３】
図７（ａ）において、Ｓ２０１で、温度センサＤ１１及び湿度センサＨ１１によって第一画像読取ボックス５０内の温度及び湿度を取得し、取得した第一画像読取ボックス５０内の温度及び湿度をそれぞれ第一ボックス温度及び第一ボックス湿度としてメモリ１０１に記憶する。また、温度センサＤ１２によって光学レンズ１２近傍の温度を取得し、画像読取部温度としてメモリ１０１に記憶する。
【００３４】
Ｓ２０２において、メモリ１０１に記憶した第一ボックス温度及び第一ボックス湿度と、メモリ１０１に予め記憶しておいた露点温度テーブルより、画像読取部９０に結露が発生する可能性のある露点温度を読取部露点温度としてメモリ１０１に記憶する。
【００３５】
ここで、露点温度テーブルとは図８に示す表であり、気温と相対湿度から水蒸気圧を求め、その水蒸気圧が飽和水蒸気圧である温度を露点温度とする手法によって定められている。露点温度を求める計算式は複雑であるため、説明を省略する。
【００３６】
Ｓ２０３において、画像読取部温度が読取部露点温度より高いかそうでないかを判断する。例えば、第一ボックス温度が２０℃で、第一ボックス湿度が４０％の場合、読取部露点温度が６．０℃となる。このとき、画像読取部温度が６．０℃以下であれば光学レンズ１２近傍が露点温度に達しているため、結露発生中であると判断する。
【００３７】
結露発生中と判断したときは、Ｓ２０４においてヒータ７０を動作させ、Ｓ２０５で画像読取部の温度を取得し、Ｓ２０６で画像読取部温度が読取部露点温度プラス３℃以上に達したかどうかを判断する。画像読取部が読取部露点温度プラス３度以上に達したと判断した場合は、Ｓ２０７においてヒータ７０を停止させ、Ｓ２０８で新たにタイマ１０２に上述した時間Ｔ１を設定してタイマ１０２をスタートし、図６のＳ１０２へ戻って復帰信号を受信したかどうかを判断する。
【００３８】
Ｓ２０６で、画像読取部温度が読取部露点温度プラス３℃以上に達していない場合はヒータ７０を停止させることなく、画像読取部温度が読取部露点温度プラス３℃以上に達するまでＳ２０５とＳ２０６を繰り返す。
Ｓ２０３において、画像読取部温度が読取部露点温度より高い場合は、Ｓ２０９において、画像読取部温度が読取部露点温度プラス３度以上かそうでないかを判断する。例えば、第一ボックス温度が２０℃で、第一ボックス湿度が４０％の場合、読取部露点温度が６．０℃となる。そのため、画像読取部温度が９．０℃以上の場合に、結露発生可能性「なし」であると判断し、Ｓ２１１で新たにタイマ１０２に上述した時間Ｔ１を設定してタイマをスタートし、図６のＳ１０２へ戻って復帰信号を受信したかどうかを判断する。
Ｓ２０３の結果を踏まえて、画像読取部温度が読取部露点温度プラス３度未満且つ露点温度より高い場合は、光学レンズ１２近傍の温度が露点温度に達する可能性が高いので、結露可能性「あり」であると判断する。結露可能性「あり」であると判断した場合は、通常よりも光学レンズ１２近傍の温度が露点温度に近く、露点温度に達するまでの時間が短いため、Ｓ２１０において、次回の検知を行うまでの時間をＴ１より短くした結露注意時間Ｔ２をタイマ１０２に設定し、タイマ１０２をスタートしてヒータ７０を動作させることなく図６のＳ１０２へ戻って復帰信号を受信したかどうかを確認する。Ｔ２は、Ｔ１よりも短い時間であるので、例えば１５分とする。
【００３９】
次に、図６のＳ１０３に示すスリープ復帰時の結露抑制制御について、本実施形態における制御部１１０のスリープ復帰時の結露抑制制御を示す図７（ｂ）のフローチャートを用いて説明する。
【００４０】
図７（ｂ）において、Ｓ３０１で、温度センサＤ１１及び湿度センサＨ１１によって第一画像読取ボックス５０内の温度及び湿度を取得し、取得した第一画像読取ボックス５０内の温度及び湿度をそれぞれ第一ボックス温度及び第一ボックス湿度としてメモリ１０１に記憶する。また、温度センサＤ１２によって光学レンズ１２近傍の温度を取得し、画像読取部温度としてメモリ１０１に記憶する。
【００４１】
Ｓ３０２において、メモリ１０１に記憶した第一ボックス温度及び第一ボックス湿度と、メモリ１０１に予め記憶しておいた露点温度テーブルより、画像読取部９０に結露が発生する可能性のある露点温度を読取部露点温度としてメモリ１０１に記憶する。
【００４２】
Ｓ３０３において、画像読取部温度が読取部露点温度より高いかそうでないかを判断する。例えば、第一ボックス温度が２０℃で、第一ボックス湿度が４０％の場合、読取部露点温度が６．０℃となる。このとき、画像読取部温度が６．０℃より高い温度でない場合、Ｓ３０４において、ヒータ７０を動作させ、その間一時操作の受付を停止する。次にＳ３０５において画像読取部温度を取得し、Ｓ３０６において画像読取部温度が読取部露点温度より高い温度に達したかどうかを判断する。
【００４３】
Ｓ３０６で、画像読取部温度が読取部露点温度より高い温度に達していない場合はヒータ７０を停止させることなく、画像読取部温度が読取部露点温度より高い温度に達するまでＳ３０５とＳ３０６を繰り返す。画像読取部温度が読取部露点温度より高い温度に達したと判断した場合は、Ｓ３０７においてヒータ７０を停止し、操作の受付停止を解除して、Ｓ３０８で画像読取部９０をホームポジションへ戻し、印刷スタンバイ状態へ移行する
Ｓ３０３において画像読取部温度が読取部露点温度より高い場合は、結露発生可能性「なし」であると判断し、ヒータ７０を動作させることなくＳ３０８で画像読取部９０をホームポジションへ戻し、印刷スタンバイ状態へ移行する。
【００４４】
上述したように、光学レンズ近傍の温度を取得し、第一画像読取ボックス内の温湿度によって得られる露点温度と比較して結露可能性を判断し、光学レンズ近傍の温度に応じてヒータの動作を制御することで、光学レンズ近傍の結露を最適な方法で抑制することができる。
【００４５】
（第二実施形態）
図９は、本実施形態に係る画像読取装置を説明する全体構成図である。本実施形態では、搬送された原稿の表面と裏面を同時に読み取る画像読取装置について説明する。なお、第一実施形態と同一の構成要素には同一の参照番号を付して一部説明を省略する。また、第一実施形態と同様の動作をする部分についても一部説明を省略する。
【００４６】
図９は本実施形態における両面画像読取装置の全体構成図である。搬送された原稿は原稿台ガラス５１と裏面流し読みガラス５３の間を通過する。その際、第一画像読取ボックス５０に備えられた画像読取部９０と第二画像読取ボックス５２に備えられた画像読取部９１により原稿に形成された表面、裏面それぞれの画像を読み込む。ここで、画像読取部９０と９の構成はどちらも第一実施形態で説明した図３に示す構成となっている。
【００４７】
図１０は図９に示す両面画像読取装置の第一画像読取ボックスのＡ−Ａ’断面図であって、図１１は画像読取装置の制御構成を示すブロック図である。画像読取部９０はモータ８０の駆動により、第一実施形態で説明した図１０に示すレール６１に沿って、矢印方向に摺動可能に構成されている。画像読取部９１は固定されて第二画像読取ボックス内に設置されている。
【００４８】
第一画像読取ボックス５０内において、画像読取部９０のホームポジション近傍にはヒータ７０が、第二画像読取ボックス５２の画像読取部９１近傍にはヒータ７１が設置されており、制御部１１１によって制御可能になっている。また、図８は第一実施形態で説明した結露の発生可能性を判断するために使用する露点温度テーブルであって、この露点温度テーブルがメモリ１０１に記憶されている。ここで、制御部１１１は、例えばＣＰＵ（Ｃｅｎｔｒａｌ  Ｐｒｏｃｅｓｓｉｎｇ  Ｕｎｉｔ）、マルチコアＣＰＵ、プログラマブルなデバイス（ＦＰＧＡ（Ｆｉｅｌｄ  Ｐｒｏｇｒａｍｍａｂｌｅ  Ｇａｔｅ Ａｒｒａｙ）、ＰＬＤ（Ｐｒｏｇｒａｍｍａｂｌｅ  Ｌｏｇｉｃ  Ｄｅｖｉｃｅ）など）などを用いる事が考えられ、複数の処理を同時に行うことが可能である。
【００４９】
図１２は図９に示す画像読取部９０及び９１の周辺（点線部）を拡大した拡大構成図である。図１２において、原稿台ガラス５１の下部であって、原稿の読み取りを妨げない位置に、第一画像読取ボックス５０内の温度を検知する温度センサＤ１１と、第一画像読取ボックス５０内の湿度を検出する湿度センサＨ１１を配置する。温度センサＤ１１と湿度センサＨ１１で検知した第一画像読取ボックス５０内の温度及び湿度を第一ボックス温度及び第一ボックス湿度として取得する。
【００５０】
また、画像読取部９０の温度により低い温度から高い温度になるにつれて黄色から赤色へと色が変化する色材を塗布した温度表示部材Ｃ１１を、画像読取部９０の主走査方向に沿って一体的に配置する。温度表示部材Ｃ１１の色は画像読取部９１によって読み取ることができる。また、温度表示部材Ｃ１１は、図３に示されるように、光学レンズ１２の近傍に配置される照明部材１１ａ及び１１ｂの発熱による影響を受ける可能性があるので、温度のばらつきを抑制するために画像読取部９０の外枠の外側に配置することとする。
【００５１】
図１１において、制御部１１１は、タイマ１０２によって一定間隔毎に温度センサＤ１１及び湿度センサＨ１１から得られた第一ボックス温度及び第一ボックス湿度と、温度表示部材Ｃ１１が示す光学レンズ１２近傍の温度を基にして露点温度テーブルを参照し、光学レンズ１２における結露可能性を判断することができる。
【００５２】
同様に、裏面流し読みガラス５３の上部であって、原稿の読み取りを妨げない位置に、第二画像読取ボックス５２内の温度を検出する温度センサＤ１３と、第二画像読取ボックス内の湿度を検出する湿度センサＨ１２を配置する。温度センサＤ１３及び湿度センサＨ１２で検知した第二画像読取ボックス５２内の温度及び湿度を第二ボックス温度及び第二ボックス湿度として取得する。
【００５３】
また、画像読取部９１近傍の温度により、低い温度から高い温度になるにつれて黄色から赤色へと色が変化する色材を塗布した温度表示部材Ｃ１２を、画像読取部９０の主走査方向に沿って一体的に配置する。温度表示部材Ｃ１２の色は画像読取部９０によって読み取ることができる。
【００５４】
図１１において、制御部１１１は、タイマ１０３によって一定間隔毎に温度センサＤ１３と湿度センサＨ１２から得られた第二ボックス温度及び第二ボックス湿度と、温度表示部材Ｃ１２が示す光学レンズ１２近傍の温度を基にして露点温度テーブルを参照し、光学レンズ１２における結露可能性を判断することができる。
【００５５】
なお、取得した温度表示部材Ｃ１１及び温度表示部材Ｃ１２の色は、画像読取部９０又は画像読取部９１との間の距離が遠いほど色を読み取るのに必要なゲインが高くなるため、距離に応じてゲインを調整する。通常は原稿の画像を読み取る時に最適なゲインになるように調整しているので、原稿が通過する原稿通過位置よりも遠い位置の色を読み取る場合は、距離によって対象の色を読み取る時に最適なゲインになるようにゲインを上昇させる。
【００５６】
次に、第一画像読取ボックスにおけるスリープ時の画像読取部９０の結露抑制制御について、本実施形態の制御部１１１の動作を示す図１３のフローチャートを用いて説明する。
【００５７】
図１３は本実施形態におけるスリープ移行時の結露抑制制御を示している。図１３において、画像読取装置３０がスリープ状態に入ると、Ｓ４０１で、画像読取部９０を移動させて、温度表示部材Ｃ１１を画像読取部９１と対向する位置に移動させる。同時に、この移動によって、画像読取部９０が、画像読取部９１に一体的に配置された温度表示部材Ｃ１２と対抗する位置に移動することになる。Ｓ４０２で制御部１１１は結露抑制制御の動作間隔Ｔに、第一実施形態で説明したＴ１をセットし、タイマ１０２をスタートさせる。
【００５８】
次にＳ４０３において、ユーザ操作などで発行されるスリープ復帰信号を受信したかどうかを判断する。スリープ復帰信号を受信した場合は、Ｓ４０４に進み、後述するスリープ復帰時の結露抑制制御を行う。Ｓ４０３でスリープ復帰信号を受信していない場合は、Ｓ４０５で時間Ｔが経過したかどうかを判断し、経過していない場合は、Ｓ４０３でスリープ復帰信号を受信したかどうかの判断に戻る。スリープ復帰信号を受信せずに時間Ｔが経過した場合は、Ｓ４０６に進み、後述するスリープ中の結露抑制制御を行う。Ｓ４０３でスリープ復帰信号を受信するまでＳ４０３からＳ４０６までのステップを繰り返し行う。
次に、第二画像読取ボックスにおけるスリープ時の画像読取部９１の結露抑制制御について説明する。第二画像読取ボックスにおける制御フローについても、第一画像読取ボックスにおける制御フローと同様に、本実施形態の制御部１１１の動作を示す図１３のフローチャートを用いて説明する。
【００５９】
図１３において、画像読取装置３０がスリープ状態に入ると、Ｓ４０１で、画像読取部９０を移動させて、温度表示部材Ｃ１１を画像読取部９１と対向する位置に移動させる。同時に、この移動によって、画像読取部９０が、画像読取部９１に一体的に配置された温度表示部材Ｃ１２と対抗する位置に移動することになる。Ｓ４０２で制御部１１１は結露抑制制御の動作間隔Ｔに、上述したＴ１をセットし、タイマ１０３をスタートさせる。
【００６０】
次にＳ４０３において、ユーザ操作などで発行されるスリープ復帰信号を受信したかどうかを判断する。スリープ復帰信号を受信した場合は、Ｓ４０４に進み、後述するスリープ復帰時の結露抑制制御を行う。Ｓ４０３でスリープ復帰信号を受信していない場合は、Ｓ４０５で時間Ｔが経過したかどうかを判断し、経過していない場合は、Ｓ４０３でスリープ復帰信号を受信したかどうかの判断に戻る。スリープ復帰信号を受信せずに時間Ｔが経過した場合は、Ｓ４０６に進み、後述するスリープ中の結露抑制制御を行う。Ｓ４０３でスリープ復帰信号を受信するまでＳ４０３からＳ４０６までのステップを繰り返し行う。
【００６１】
次に、図１３のＳ４０６に示すスリープ中の結露抑制制御について、本実施形態における制御部１１１のスリープ中の結露抑制制御を示す図１４（ａ）のフローチャートを用いて説明する。
【００６２】
図１４（ａ）において、まず、第一画像読取ボックスにおけるスリープ中の結露抑制制御フローについて説明する。Ｓ５０１で、温度表示部材Ｃ１１の色を画像読取部９１により読み取る。画像読取部９１で読み込む色は、原稿の画像を読み取る時よりも距離が遠いため、原稿の画像を読み取る時よりも高いゲインをかけるようにゲインを調整して読み取る。
【００６３】
Ｓ５０２において、Ｓ５０１で読み取った温度表示部材Ｃ１１の色から、光学レンズ１２近傍の温度を取得し、第一画像読取部温度としてメモリ１０１に記憶する。また、温度センサＤ１１及び湿度センサＨ１１によって第一画像読取ボックス５０内の温度及び湿度を取得し、取得した第一画像読取ボックス５０内の温度及び湿度をそれぞれ第一ボックス温度及び第一ボックス湿度としてメモリ１０１に記憶する。
【００６４】
Ｓ５０３において、メモリ１０１に記憶した第一ボックス温度及び第一ボックス湿度と、メモリ１０１に予め記憶しておいた露点温度テーブルより、画像読取部９０の光学レンズ１２に結露が発生する露点温度を読取部露点温度としてメモリ１０１に記憶する。
【００６５】
Ｓ５０４で、画像読取部温度が読取部露点温度より高い温度かそうでないかを判断する。例えば、第一ボックス温度が２０℃で、第一ボックス湿度が４０％の場合、読取部露点温度が６．０℃となる。このとき、温度表示部材Ｃ１１から取得した画像読取部温度が６．０℃以下であれば画像読取部９０の光学レンズ１２近傍が露点温度に達しているため、画像読取部９０の光学レンズ１２において結露発生中であると判断する。
【００６６】
結露発生中と判断した場合は、Ｓ５０５において、ヒータ７０を動作させ、Ｓ５０６で結露発生中の画像読取部の温度を取得し、Ｓ５０７で、結露発生中の画像読取部の画像読取部温度が読取部露点温度プラス３℃以上に達したかどうかを判断する。結露発生中の画像読取部の画像読取部温度が読取部露点温度プラス３度以上に達したと判断した場合は、Ｓ５０８においてヒータ７０を停止させ、Ｓ５０９で新たにタイマ１０２に上述した時間Ｔ１を設定してタイマをスタートし、図１３のＳ４０３へ戻って復帰信号を受信したかどうかを判断する。Ｓ５０７で、結露発生中の画像読取部の画像読取部温度が読取部露点温度プラス３℃以上に達していない場合は、ヒータ７０を停止させることなく、結露発生中の画像読取部の画像読取部温度が読取部露点温度プラス３℃以上に達するまでＳ５０６とＳ５０７を繰り返す。
【００６７】
Ｓ５０４で、画像読取部温度が読取部露点温度より高い温度である場合は、Ｓ５１０において、画像読取部温度が読取部露点温度プラス３度以上かそうでないかを判断する。例えば、第一ボックス温度が２０℃で、第一ボックス湿度が４０％の場合、第一画像読取部露点温度が６．０℃となる。そのため、温度表示部材Ｃ１１で取得した画像読取部温度が９．０℃以上の場合には、結露が発生している可能性がほぼ無いため、画像読取部９０の光学レンズ１２において、結露発生可能性「なし」であると判断する。結露発生可能性「なし」と判断した場合は、Ｓ５１２で新たにタイマ１０２に上述した時間Ｔ１を設定してタイマをスタートし、図１３のＳ４０３へ戻って復帰信号を受信したかどうかを判断する。
【００６８】
Ｓ５０４の結果を踏まえて画像読取部温度が読取部露点温度プラス３度未満且つ露点温度より高い温度であるときは、光学レンズ１２近傍の温度が露点温度に達する可能性が高いので、結露可能性「あり」であると判断する。結露可能性「あり」であると判断した場合は、通常よりも光学レンズ１２近傍の温度が露点温度に近く、露点温度に達するまでの時間が短いため、Ｓ５１１において、第一実施形態で説明した結露注意時間Ｔ２をタイマ１０２に設定し、タイマ１０２をスタートしてヒータ７０を動作させることなく図１３のＳ４０３へ戻って復帰信号を受信したかどうかを確認する。
【００６９】
次に、図１４（ａ）において、第二画像読取ボックスにおけるスリープ中の結露抑制制御フローについて説明する。まず、Ｓ５０１で、温度表示部材Ｃ１２の色を画像読取部９０により読み取る。画像読取部９０で読み込む色は、原稿の画像を読み取る時よりも距離が遠いため、原稿の画像を読み取る時よりも高いゲインをかけるようにゲインを調整して読み取る。
【００７０】
Ｓ５０２において、Ｓ５０１で読み取った温度表示部材Ｃ１２の色から、光学レンズ１２近傍の温度を取得し、第二画像読取部温度としてメモリ１０１に記憶する。また、温度センサＤ１３及び湿度センサＨ１２によって第二画像読取ボックス５２内の温度及び湿度を取得し、取得した第二画像読取ボックス５２内の温度及び湿度をそれぞれ第二ボックス温度及び第二ボックス湿度としてメモリ１０１に記憶する。
【００７１】
Ｓ５０３において、メモリ１０１に記憶した第二ボックス温度及び第二ボックス湿度と、メモリ１０１に予め記憶しておいた露点温度テーブルより、画像読取部９１の光学レンズ１２に結露が発生する露点温度を読取部露点温度としてメモリ１０１に記憶する。
【００７２】
Ｓ５０４で、画像読取部温度が読取部露点温度より高い温度かそうでないかを判断する。例えば、第二ボックス温度が２０℃で、第二ボックス湿度が４０％の場合、読取部露点温度が６．０℃となる。このとき、温度表示部材Ｃ１２から取得した画像読取部温度が６．０℃以下であれば画像読取部９１の光学レンズ１２近傍が露点温度に達しているため、画像読取部９１の光学レンズ１２において結露発生中であると判断する。
【００７３】
結露発生中と判断した場合は、Ｓ５０５において、ヒータ７１を動作させ、Ｓ５０６で結露発生中の画像読取部の温度を取得し、Ｓ５０７で、結露発生中の画像読取部の画像読取部温度が読取部露点温度プラス３℃以上に達したかどうかを判断する。結露発生中の画像読取部の画像読取部温度が読取部露点温度プラス３度以上に達したと判断した場合は、Ｓ５０８においてヒータ７１を停止させ、Ｓ５０９で新たにタイマ１０３に上述した時間Ｔ１を設定してタイマをスタートし、図１３のＳ４０３へ戻って復帰信号を受信したかどうかを判断する。
【００７４】
Ｓ５０７で、結露発生中の画像読取部の画像読取部温度が読取部露点温度プラス３℃以上に達していない場合は、ヒータ７１を停止させることなく、結露発生中の画像読取部の画像読取部温度が読取部露点温度プラス３℃以上に達するまでＳ５０６とＳ５０７を繰り返す。
【００７５】
Ｓ５０４で、画像読取部温度が読取部露点温度より高い温度である場合は、Ｓ５１０において、画像読取部温度が読取部露点温度プラス３度以上かそうでないかを判断する。例えば、第二ボックス温度が２０℃で、第二ボックス湿度が４０％の場合、読取部露点温度が６．０℃となる。そのため、温度表示部材Ｃ１２で取得した画像読取部温度が９．０℃以上の場合には、結露が発生している可能性がほぼ無いため、画像読取部９１の光学レンズ１２において、結露発生可能性「なし」であると判断する。
【００７６】
結露発生可能性「なし」と判断した場合は、Ｓ５１２で新たにタイマ１０３に上述した時間Ｔ１を設定してタイマをスタートし、図１３のＳ４０３へ戻って復帰信号を受信したかどうかを判断する。
【００７７】
Ｓ５０４の結果を踏まえて画像読取部温度が読取部露点温度プラス３度未満且つ露点温度より高い温度であるときは、光学レンズ１２近傍の温度が露点温度に達する可能性が高いので、結露可能性「あり」であると判断する。結露可能性「あり」であると判断した場合は、通常よりも光学レンズ１２近傍の温度が露点温度に近く、露点温度に達するまでの時間が短いため、Ｓ５１１において、上述した結露注意時間Ｔ２をタイマ１０３に設定し、タイマ１０３をスタートしてヒータ７１を動作させることなく図１３のＳ４０３へ戻って復帰信号を受信したかどうかを確認する。
【００７８】
次に、図１３のＳ４０４に示すスリープ復帰時の結露抑制制御について、本実施形態における制御部１１１のスリープ復帰時の結露抑制制御を示す図１４（ｂ）のフローチャートを用いて説明する。
【００７９】
まず、図１４（ｂ）を用いて、第一画像読取ボックスにおけるスリープ復帰時の結露抑制制御フローについて説明する。また、図１４（ｂ）に示すＳ６０３までの動作は、前述した第一画像読取ボックス内におけるスリープ中の結露抑制制御について説明した図１４（ａ）に示すＳ５０３までの動作と同様なため、説明を省略する。
Ｓ６０４で、画像読取部温度が読取部露点温度より高い温度かそうでないかを判断する。例えば、第一ボックス温度が２０℃で、第一ボックス湿度が４０％の場合、読取部露点温度が６．０℃となる。このとき、温度表示部材Ｃ１１から取得した画像読取部温度が６．０℃以下であれば画像読取部９０の光学レンズ１２において結露発生中であると判断する。
結露発生中と判断した場合は、Ｓ６０５において、ヒータ７０を動作させ、ヒータ７０が動作している間の操作受付を一時停止する。Ｓ６０６で結露発生中の画像読取部の温度を取得し、Ｓ６０７で、結露発生中の画像読取部の画像読取部温度が読取部露点温度より高い温度に達したかどうかを判断する。結露発生中の画像読取部の画像読取部温度が読取部露点温度より高い温度に達したと判断した場合は、Ｓ６０８においてヒータ７０を停止させ、操作受付の停止を解除し、Ｓ６０９で画像読取部９０をホームポジションへ戻して印刷スタンバイ状態へ移行する。
Ｓ６０７で、結露発生中の画像読取部の画像読取部温度が読取部露点温度より高い温度に達していない場合は、ヒータ７１を停止させることなく、結露発生中の画像読取部の画像読取部温度が読取部露点温度より高い温度に達するまでＳ６０６とＳ６０７を繰り返す。
【００８０】
Ｓ２０３において画像読取部温度が読取部露点温度より高い温度であれば結露発生可能性「なし」であると判断し、ヒータ７０を動作させることなくＳ６０９で画像読取部９０をホームポジションへ戻し、印刷スタンバイ状態へ移行する。
【００８１】
次に、第二画像読取ボックスにおけるスリープ復帰時の結露抑制制御フローについて説明する。第二画像読取ボックスにおけるスリープ復帰時の結露抑制制御フローについても、第一画像読取ボックスにおける制御フローと同様に、図１４（ｂ）を用いて説明する。また、同様に、図１４（ｂ）に示すＳ６０３までの動作は、前述した第二画像読取ボックス内におけるスリープ中の結露抑制制御について説明した図１４（ａ）に示すＳ５０３までの動作と同様なため、説明を省略する。
Ｓ６０４で、画像読取部温度が読取部露点温度より高い温度かそうでないかを判断する。例えば、第二ボックス温度が２０℃で、第二ボックス湿度が４０％の場合、読取部露点温度が６．０℃となる。このとき、温度表示部材Ｃ１２から取得した画像読取部温度が６．０℃以下であれば画像読取部９１の光学レンズ１２において結露発生中であると判断する。
【００８２】
結露発生中と判断した場合は、Ｓ６０５において、ヒータ７１を動作させ、ヒータ７１が動作している間の操作受付を一時停止する。Ｓ６０６で結露発生中の画像読取部の温度を取得し、Ｓ６０７で、結露発生中の画像読取部の画像読取部温度が読取部露点温度より高い温度に達したかどうかを判断する。結露発生中の画像読取部の画像読取部温度が読取部露点温度より高い温度に達したと判断した場合は、Ｓ２０７においてヒータ７１を停止させ、操作受付の停止を解除し、Ｓ６０９で画像読取部９０をホームポジションに戻して印刷スタンバイ状態へ移行する。
【００８３】
Ｓ６０７で、結露発生中の画像読取部の画像読取部温度が読取部露点温度より高い温度に達していない場合は、ヒータ７１を停止させることなく、結露発生中の画像読取部の画像読取部温度が読取部露点温度より高い温度に達するまでＳ６０６とＳ６０７を繰り返す。
【００８４】
Ｓ２０３において画像読取部温度が読取部露点温度より高い温度であれば結露発生可能性「なし」であると判断し、ヒータ７１を動作させることなくＳ６０９で画像読取部９０をホームポジションに戻し、印刷スタンバイ状態へ移行する。
【００８５】
上述したように、画像読取部と一体的に設けられた温度判定部を、向かい合った異なる画像読取部で読み取ることで、画像読取部自身が読み取りを行うことができない位置に温度表示部材が設けられていても、正確に光学レンズ近傍の温度を取得する事ができ、その温度に応じてヒータを動作させることで、光学レンズ近傍の結露を最適な方法で抑制する事ができる。
【００８６】
（その他の実施形態）
第一実施形態では、画像読取ボックス内の温湿度と、光学レンズ近傍の温度を用いて光学レンズにおける結露可能性を判断したが、これに限らず、画像読取ボックス内の湿度から得られる露点温度と、光学レンズ近傍の温度を比較して結露可能性を判断する構成としても良い。
【００８７】
また、第一実施形態及び第二実施形態では、結露可能性を判断するために露点温度テーブルを用いた画像読取装置について説明した。しかし、この構成に限らず、例えば露点温度テーブルを用いずに、装置内の温湿度から露点温度を算出する計算式を用いて、その露点温度と光学レンズ近傍の温度を比較して結露可能性を判断する構成としても良い。
【００８８】
また、画像読取部が原稿を読み取る方式としては、本発明においてはＣＩＳ方式を用いたが、これに限らず他の公知の方式を用いた構成であっても良い。
【００８９】
さらに、本発明では、温度により、低い温度から高い温度になるにつれて黄色から赤色へと色が変化する色材を用いた構成について説明した。しかし、これに限らず、温度の変化による色の変化が本発明とは異なる色材を用いた構成であっても良いし、温度の変化に限らず、周囲の湿度の変化など環境の変化によって色が変化する色材を用いて第二実施形態で説明した画像読取部による温度取得と同様に湿度を取得し、その結果を用いて露点温度を求め、結露可能性を判断する構成でも良い。
【００９０】
加えて、本発明では、色材を塗布した部材を用いて説明したが、色材を部材に塗布するに限らず、色材を紙に浸透させるなど、その他の方法を用いた構成でも良い。
【符号の説明】
【００９１】
Ｄ１１  温度センサ
Ｄ１２  温度センサ
Ｈ１１  湿度センサ
３０  画像読取装置
９０  画像読取部
１１０  制御部
７０  ヒータ
【図１】
2016127551.tif 000003
【図２】
2016127551.tif 000004
【図３】
2016127551.tif 000005
【図４】
2016127551.tif 000006
【図５】
2016127551.tif 000007
【図６】
2016127551.tif 000008
【図７】
2016127551.tif 000009
【図８】
2016127551.tif 000010
【図９】
2016127551.tif 000011
【図１０】
2016127551.tif 000012
【図１１】
2016127551.tif 000013
【図１２】
2016127551.tif 000014
【図１３】
2016127551.tif 000015
【図１４】
2016127551.tif 000016